(57)【要約】  ｅＣＲＴ電子コンポーネントの周辺スペースでのサウンド用途は、ピエゾ電気によって検出されるオーディオ磁気損失を最高に実際に示すことであり、ピエゾ電気材料は瞬時に磁界を検出し、オーディオ変調に従って磁気情報を電流に変換する。ピエゾ電気材料が求める、過渡性によるこの可聴性電気変調は、コイルによって最初に失われたサウンドのオーディオ機械運動に変換される。ｅＣＲＴ本体は、電磁音響ブリッジを構成し、このブリッジは、失われたサウンド情報のすべてを捕捉し、スピーカーの支持体によって構成されている少なくとも１つのサウンドボードへ伝送する。【特許請求の範囲】
【請求項１】
電気音響トランスジューサ（単数または複数）のコイルによって失われた磁界のオーディオ情報を検出し、特に電気音響トランスジューサの支持体によって形成されているサウンドボードへ送り、これによって、失われたサウンドの高調波の相補的な波を追加し、音響支持体の本体の励起された表面上でのサウンドの伝搬により増幅されるサウンドの豊かさを提供するようになっている方法において、
音響振動に変換された磁気的損失を３つの機能によって検出するｅＣＲＴ本体の存在によって実行が可能となる方法。
【請求項２】
ペースト内に含まれ、埋め込まれた金属粉体、例えば非限定的な例として銅または金の粉体を有するｅＣＲＴの本体、すなわちピエゾ電気の本体を含み、この本体上で電気音響トランスジューサコイル（単数または複数）から失われた磁荷を検出すること、およびこの情報をオーディオ電気モードに変換すること、およびこの情報を可聴機械的モードに変換することの３つの自然機能がこの本体に付与されており、よってオーディオ情報のすべてを検出する音響ブリッジを形成し、この音響ブリッジは、接着によって剛性に製造されたリンクによりオーディオ情報を励起し、このオーディオ情報をサウンドボードに伝送し、サウンドボードはトランスジューサ（単数または複数）の支持体とすることができ、オーディオ分野およびオーディオビジュアル分野に関係する誰にも有効な電磁変換音響ブリッジ装置。
【請求項３】
このケースではトランスジューサの支持体とは独立した少なくとも１つのサウンドボードの作動を特徴とし、かつ前記サウンドボードは、１つ以上の電気音響トランスジューサに接近したｅＣＲＴの本体をネジでトラップすることにより、理想的張力に設定された木製の２つのシートを含むことを特徴とする、請求項２に記載の装置。
【請求項４】
接着剤、ネジ、釘、ジャンパーまたは弾性張力リンクにより、非限定的例として固体リンクを製造することを特徴とする、請求項２に記載の装置。
【発明の詳細な説明】
【技術分野】
【０００１】
電子コンポーネントは電気音響トランスジューサ（単数または複数）のコイルから失われた磁荷情報、サウンド効果による機械的モードで回収され、伝送され、特に電気音響トランスジューサ（単数または複数）の支持体の質量により増幅される磁荷を電子的に再バランス化することによる強化によって検出する。
【背景技術】
【０００２】
本国際特許出願は、２００８年３月３日に国際出願されたＰＣＴ／ＦＲ２００８／０００２７３号および２００７年８月８日に出願された特許出願ＰＣＴ／ＦＲ２００７／００１３５３号の音響分野における特定の応用例の論理的な展開である。この電子コンポーネントでは、相互にリンクする３つの同時作動に基づき、ｅＣＲＴと称される電子コンポーネントの機能の普遍性が請求されている。音響用途の増幅を拡張するよう、これら作動について、以下説明する。ピエゾ電気コンポーネントに含まれる粉体状金属材料を通し、磁荷を吸収するｅＣＲＴ電子コンポーネントの方法は、オーディオ用途に不可欠である。サウンドボードとして使用される本体にこの電子コンポーネントを直接置くと、このピエゾ電子コンポーネントは、サウンド伝搬共振に基づく音響増幅器として働く。ｅＣＲＴ本体は、すべての音の振動を検出し、伝送するような楽器ブリッジとなり、このブリッジの特性を有する。ｅＣＲＴ機能は、電気的に接続されていない外部機能であり、この機能は、音響トランスジューサのコイルによって失われ、次に金属粉体充填物によって吸収される磁気音響情報をクリーンにすることである。ピエゾ材料内に銅、金、鉄または他の金属粉体を混入すると、磁荷を情報電荷に変換することが可能となり、この情報電荷は即座に機械的な動きに変換される。失われた音響サウンド情報の磁界を検出し、これを電流に変換するために、金属を数回巻、例えば１回巻、２回巻または３回巻の小型の磁気ループの形態とすることができるが、経験から、我々は磁気ループを使用したことはなく、金属またはアルミの粉体を用い、濃度に応じて粉体またはループによって獲得される電荷により、かなり強いピエゾ電気作動を記録している。ミニコイル、すなわち粉体を有する磁気ループによって、効果をわずかに最適化することが可能となっている。しかしながら、１本のループは、固有の共振周波数および振幅を必要とし、このことによってすべての周波数および振幅を検出することは制限される。ピエゾ材料のペーストの混合物内に所定の密度および濃度を有する粉体によって、特別に同調することなく、ほとんどすべての周波数および振幅を受信することが可能となる。粉体は、ｅＣＲＴ電子コンポーネントのまわりで作用する磁荷情報のすべてを検出できる全体的効果を有することを可能にする。
【先行技術文献】
【特許文献】
【０００３】
【特許文献１】ＰＣＴ／ＦＲ２００８／０００２７３号出願
【特許文献２】ＰＣＴ／ＦＲ２００７／００１３５３号出願
【発明の概要】
【０００４】
この技術は、微弱リンクのエネルギーおよびファンデルワールス双極子、ラプラス、ヘルツ、ローレンツ、ガウス、マクスウェルおよびファラデーの法則に関連するものである。
これら応用例は、ｅＣＲＴコンポーネントによって制御される多数の用途を有する製品を示しており、このｅＣＲＴコンポーネントの一般的な用途が、非消尽的に示されている。
【０００５】
−最初の第１の応用例は、特殊なケースであり、このケースは、本特許出願に関連するサウンド用途となっている。スピーカーの磁気的損失は、コイルの音響的効率の損失であり、スピーカー膜の失われた機械的振動により、サウンド活動のために我々はこの音響的効率の損失を回復し、本方法によってサウンドの機械的振動が取り戻される。ｅＣＲＴ電子コンポーネントは、レギュレータであり、このレギュレータはエントロピーのように電磁荷からの情報と電気との自然バランス交換を調節する。このバランスとは、金属コンポーネントのトラップにより吸収し、引き寄せ、および検出するｅＣＲＴ装置のまわりの空気および過剰な磁荷を自然にクリーンにすることである。ナノ技術によって電流に変換される磁界の移動を見ることが可能となっており、この電流をピエゾ材料に供給すると、ピエゾ材料は振動する。これら機能は、すべて自然な機能であるが、これらを１つにリンクすると、これら機能は、本方法に固有の新規な機能を生じさせる。このナノ技術のビジョンは、見ることができなかった解決案を適当なスケールのビジョンで大きなスケールで解決できるようにする。ｅＣＲＴ電子コンポーネントの周辺スペース内でのサウンド用途は、ピエゾ電気によって検出されるオーディオ磁気損失を主に実際に示すことであり、ピエゾ電気は添加された金属粉体により瞬時に磁界を検出し、オーディオ変調に従って磁気情報を電流に変換する。このオーディオ電気変調、ピエゾ電気の過渡性は、コイルによって最初に失われたサウンドの可聴性機械運動に変換される。このようにして、失われた高調波が再生される。電気音響スピーカーの前方に置かれたこのｅＣＲＴコンポーネント装置は、磁気損失によって失われたサウンドの認識を回復させ、音の効率に影響する。ピエゾ電気は、機械的慣性を有せず、情報をリアルタイムで再伝送するので、リアルタイムで高調波が戻される。全体のサウンドは、直接自然聴取した場合、豊かさ、すなわち予期しない高調波の深まりと共に、音響パワーが１.５〜７ｄＢ高まる。ｅＣＲＴコンポーネントは、自己電磁誘導から直接伝わるクロストークも低減する。ビニールディスクから音を検出するピエゾ電気セルを有するダイヤモンド針によるサウンドの配信に革命を起こした１９６０年代からのＴｅｐｐａｚを思い出せばよいであろう。この最初のピエゾ電気の応用例は、機械的振動を電流に変えることであった。我々のケースは、機械的励起と共に逆に進み、磁束が流れる部品上の金属粉体または金属ループによって、遠隔的に検出される電磁荷により電流を得ている。これら金属粉体および／または磁気ループはピエゾ電気ペースト内に埋め込まれ、含まれており、従って、金属粉体および／または磁気ループは、検出され、ペースト内に拡散する電流に対して瞬間的に反応できる。このように検出された電流は、ピエゾ材料の振動を引き起こす。これら３つの機能を特徴とするｅＣＲＴ電子装置、すなわち電子コンポーネントは、当業者が望む空間性および音響特性に従って決定される質量および数量を有し、１つ以上の音響トランスジューサの支持体の少なくとも１つの壁に剛性的に張り付けられている。
【課題を解決するための手段】
【０００６】
これら３つの機能およびこれら３つのｅＣＲＴ動作は、
１−ループおよび／または金属粉体によって磁界が検出されること
２−磁界が電流に変換されること
３−ピエゾ電気によって電流が機械的振動に変換されること
である。
【０００７】
これら３つの機能は、瞬間的で、同時に行われ、自然に生じる機能である。
【発明の効果】
【０００８】
この電子コンポーネントは、異なる情報次元、第１に電子タイプの情報次元、第２に電磁気タイプの情報次元、第３に機械的タイプの情報次元への、３つの変換のための可能な処理を行う新世代の装置である。
【発明を実施するための形態】
【０００９】
ｅＣＲＴの応用は、その構造、ダイナミックフェーズにおけるその機械的振動伝搬機能を通して、音響分野のすべてに影響する。我々が所定の場所に設置する装置は、非限定的な実施形態であり、ｅＣＲＴと称されるこの技術は、オーディオトランスジューサによって喪失するオーディオ情報の瞬間的サーボ／制御を可能にする３つの機能を満たす。全体的および瞬間的に作用し、働く機能の数に従って、リアルタイムで作動する、すなわちリアルタイム「Ｔ０」で作動するのはこのコンポーネントであり、このことが基本的な技術革新となっている。この技術は電気的機能の変数によってしか作動しないマイクロプロセッサ技術、すなわち機能を追加することによるムーアの法則が、セクション化された二進平面に留まり、瞬間的時間ではアクセスできず、従ってＴ−１に留まっている技術の相補的技術となっている。ｅＣＲＴは、特別な選択を行うことなく、オーディオスペクトルの全周波数バンドにわたってグローバルに作動し、共振がない。次のことを知ることが重要である。すなわちサウンドが待機しないこと、発生される音符がすべての基本波かつ高調波構造で発生されること、および成分のうちの１つが他の成分とは別個に処理されると信じるのは極めて非現実的であることを知ることが重要である。ｅＣＲＴコンポーネントを所定の場所に置くと、電子的遅延効果をサポートしないというサウンド再生のこのような基本的問題を解決できる。このようなｅＣＲＴ電子コンポーネントにより再構成され、回復される音楽的振動アプリケーションは、弦楽器すなわちバイオリン、ピアノなどのブリッジ（こま）と同じ次数となっている。リアルタイムでのこのような振動情報は、基本波および一次高調波によって捕捉される喪失された高調波の追加により、ダイナミックパワーを増し、これら基本波および一次高調波も、努力することなく例外的な了解度を追加する。しかしながら、ｅＣＲＴによる磁気情報のこのような再生および表明すべき要求から誘導される別のサウンドレンジが存在する。ピアノの弦または任意の弦楽器の弦のように、ｅＣＲＴを音響ブリッジ（こま）に似せることができ、この音響ブリッジは、この音響ブリッジが受ける振動情報を伝え、この情報をサウンドボードに移す。音楽再生材料から製造されるこのサウンドボードは、単なる音響チャンバのケースまたはスピーカー支持体である。
【００１０】
テレビ用では、このｅＣＲＴは薄型スクリーンまたはブラウン管用の支持体となる。電話用途または補聴器に対しては、振動支持体として使用されるエンベロープ自体となる。張力を受けた状態で、または張力がない状態で、材料の弾性によって固体材料を通して音の振動の伝達が行われる。ｅＣＲＴの本体は、励起すべき材料と直接接触し、この材料はテーブルまたは表面共振を通してサウンドの伝搬を増幅する任意の本体上に置かれた音叉のように、音の振動を増幅する。この質および性能は、当業者が求める効果に応じて決まる。自動車、バス、トラック、飛行機および船舶の運輸分野で極めて有効である１つの応用例は、ダッシュボードの構造体またはキャビンの壁に直接張り付けられるｅＣＲＴの本体を所定の場所に置くことである。この方法は、ｅＣＲＴの本体およびそれに関連する３つの機能により、失われた磁気情報を可聴的機械モードに変換できることを可能にするという点で評価できる。非制限的例として、接着剤、ネジ、クギ、ジャンパー、または弾性張力固定具により形成されると記述される剛性リンクの１つ以上によってｅＣＲＴの本体（単数または複数）を固定することにより、サウンド振動をサウンドボートに伝えることが可能となっている。サウンドボートは、当該支持体の伝搬表面全体にわたってサウンドを発生する。当該支持体は、直立したドアまたはダッシュボード、またはスピーカー用支持体またはサウンドを伝搬するスピーカーとすることができる。この音響は、ｅＣＲＴの本体と材料の表面との機械的増幅の結合から生じ、この材料にはｅＣＲＴが一体に埋め込まれており、このｅＣＲＴはサウンドの豊かさおよびサウンドのダイナミックレンジを補足し、サウンドのダイナミックレンジは、少なくとも１.５ｄＢだけ増加し、これらサウンドの豊かさおよびサウンドのダイナミックレンジは装置の増幅により増加される。このように構成されたこれら「サウンドボード（単数または複数）を有する電磁トランスジューサブリッジ」装置は、完全に成熟した新規な電気−音響トランスジューサとなり、オーディオおよびオーディオビジュアル分野に関与するどの人にも有効な音響レンジで、自然に作動する。本方法の装置の変形例は、１つ以上の電気音響トランスジューサに接近して配置されたｅＣＲＴ本体を含み、このｅＣＲＴ本体は、電子−音響トランスジューサの支持体（単数または複数）から独立している。この装置は、少なくとも１つのサウンドボード内に捕捉されたｅＣＲＴ本体を含む。この場合、最も簡単に表現すれば、２つのプランクと両端が張力で保持された木製のクランプされたシートから成るダブルサウンドボード内にトラップされたｅＣＲＴ本体を備え、これら２つのシートの間にｅＣＲＴ本体をジャミングするようになっており、当業者によって張力が調節されるようになっている。このシートにより、ｅＣＲＴの本体を所望する音響トランスジューサに接近させることが可能となっている。木製シートは、非限定的な実施形態では、長さが５０ｃｍであり、幅が１０ｃｍであり、厚さが３ｍｍである。張力を調節するのにシートの各端部に設けられた１つ以上のクランプネジを使用する。ｅＣＲＴの位置決めは、バイオリン上のブリッジ（こま）の設置と��じであり、共鳴効果が最大である場所、すなわち全長の約３分の１の場所に向けて位置決めされる。